(57)【要約】【課題】ＭＰＥＧ復号後の映像信号からＧＯＰ周期を検出する。【解決手段】入力映像信号の同期信号に同期した所定期間を示すタイミング信号を発生するタイミング信号発生手段と、前記タイミング信号に応じて映像信号の特定周波数成分量を抽出する特定周波数成分量抽出手段と、前記特定周波数成分量抽出手段の出力を前記タイミング信号毎に受け取り、その変動における特徴量を出力する変動特徴量検出手段と、前記変動特徴量検出手段の出力結果よりＧＯＰ周期を検出する演算手段とを備えたことを特徴とするＧＯＰ周期検出装置。【選択図】図１
2005094591.tif 000002
【特許請求の範囲】
【請求項１】
入力映像信号の特定周波数成分量の変動における特徴量より、ＧＯＰ周期を求めることを特徴とするＧＯＰ周期検出方法。
【請求項２】
入力映像信号の同期信号に同期した所定期間を示すタイミング信号を発生するタイミング信号発生手段と、前記タイミング信号発生手段からのタイミング信号に応じて前記所定期間における前記入力映像信号の特定周波数成分量を抽出する特定周波数成分量抽出手段と、前記特定周波数成分量抽出手段の出力を前記タイミング信号毎に受け取りその変動における特徴量を求め入力信号のＧＯＰ周期を検出する変動特徴量検出手段とを備えたことを特徴とするＧＯＰ周期検出装置。
【請求項３】
請求項１記載のＧＯＰ周期検出方法を記憶した記憶媒体。
【請求項４】
前記特定周波数成分量は所定画素間のレベル差の絶対値を前記所定期間累積加算することで求めることを特徴とする請求項１記載のＧＯＰ周期検出方法。
【請求項５】
前記特定周波数成分量抽出手段は、前記入力映像信号の前記所定期間における所定画素間のレベルの差の絶対値を算出する画素差分演算手段と、前記画素差分演算手段の出力を所定期間累積加算する累積加算手段とから構成されることを特徴とする請求項２記載のＧＯＰ周期検出装置。
【請求項６】
請求項４記載のＧＯＰ検出方法を記憶した記憶媒体。
【請求項７】
前記所定期間が２垂直期間にまたがっていることを特徴とする請求項２記載のＧＯＰ周期検出装置。
【請求項８】
請求項７記載のＧＯＰ検出装置を有する記憶媒体。
【請求項９】
前記特徴量は前記特定周波数成分量抽出手段が出力した結果を複数の異なる特性を持つフィルター群へ入力し、前記フィルター群の出力の絶対値をそれぞれ積分して得られる複数の結果の大小関係より求めることを特徴とする請求項１記載のＧＯＰ周期検出方法。
【請求項１０】
前記変動特徴量検出手段は前記した前記特定周波数成分量抽出手段の結果を受け取る複数の異なる特性を持つフィルター群と、前記フィルター群の出力を受け取りそれぞれの絶対値を求める絶対値演算手段群と、前記絶対値演算手段群の出力を受け取りそれぞれ積分を行う積分手段群と、前記積分手段群の出力を受け取りそれらの大小関係や比を比較しその結果を前記特徴量として出力する比較手段とから構成される請求項２記載のＧＯＰ周期検出装置。
【請求項１１】
請求項９記載のＧＯＰ検出方法を記憶した記憶媒体。
【請求項１２】
前記フィルターはコムフィルターであることを特徴とする請求項９記載のＧＯＰ周期検出方法。
【請求項１３】
請求項１２記載のＧＯＰ検出方法を記憶した記憶媒体。
【請求項１４】
請求項１記載のＧＯＰ周期検出方法でＧＯＰを検出した結果に応じて、入力映像信号に対し所定の映像信号処理を施す映像処理方法。
【請求項１５】
所定のパラメータにしたがって入力映像信号に信号処理を施す映像処理装置であって、前記入力映像信号を請求項２記載のＧＯＰ周期検出装置に入力し、その出力結果を受け取り前記パラメータを制御するパラメータ制御手段とを備えたことを特徴とする映像処理装置。
【請求項１６】
請求項１４記載の映像処理方法を記憶した記憶媒体。
【請求項１７】
前記ＧＯＰ周期検出方法でＧＯＰを検出した結果と入力映像信号のＧＯＰ検出に用いた周波数成分以外の周波数成分量をも用いて所定の映像信号処理を施す請求項１４記載の映像処理方法。
【請求項１８】
入力映像信号における周波数特性を検出する周波数特性検出手段と、前記ＧＯＰ周期検出装置の出力と前記周波数特性検出手段の出力とを受け取り前記パラメータを制御するパラメータ制御手段とをそなえたことを特徴とする請求項１５記載の映像処理装置。
【請求項１９】
請求項１７記載の映像処理方法を記憶した記憶媒体。
【請求項２０】
前記ＧＯＰ周期検出方法でＧＯＰを検出した結果と入力映像信号のＡＰＬ変動量に応じて所定の映像信号処理を施す請求項１４記載の映像処理方法。
【請求項２１】
前記入力映像信号のＡＰＬ変動を検出するＡＰＬ変動量検出手段と、
前記ＧＯＰ周期検出装置の出力と前記ＡＰＬ変動量検出手段の出力とを受け取り前記パラメータを制御するパラメータ制御手段とをそなえたことを特徴とする請求項１５記載の映像処理装置。
【請求項２２】
請求項２０記載の映像処理方法を記憶した記憶媒体。
【発明の詳細な説明】
【技術分野】
【０００１】
本発明はＭＰＥＧ（Ｍｏｖｉｎｇ  Ｐｉｃｔｕｒｅ  Ｅｘｐｅｒｔｓ  Ｇｒｏｕｐ）によって提案された画像情報の高能率符号化方式（以降便宜上ＭＰＥＧ方式と呼ぶ）で符号化された画像情報を復号化した動画像のＧＯＰ（Ｇｒｏｕｐ  Ｏｆ  Ｐｉｃｔｕｒｅｓ）周期検出方法及びＧＯＰ周期検出装置及び映像処理方法及び映像処理装置及びそれらＧＯＰ周期検出方法や映像処理方法を記録した記録媒体に関するものである。
【背景技術】
【０００２】
デジタル放送やＤＶＤ（Ｄｉｇｉｔａｌ  Ｖｅｒｓａｔｉｌｅ  Ｄｉｓｃ）等では、ＭＰＥＧ方式で符号化し、再生側ではこれをデコードし映像信号を得る。一般に動画像は複数の静止画（以降ピクチャと呼ぶ）によって構成されるが、ＭＰＥＧ方式ではこれら静止画をＧＯＰと呼ばれる単位で圧縮符号化する。ＧＯＰは、少なくともひとつのＩピクチャ（Ｉｎｔｒａ−ｃｏｄｅｄ  Ｐｉｃｔｕｒｅ）と、Ｐピクチャ（Ｐｒｅｄｉｃｔｉｖｅ−ｃｏｄｅｄ  Ｐｉｃｔｕｒｅ）、Ｂピクチャ（Ｂｉｄｉｒｅｃｔｉｏｎａｌｌｙ−ｃｏｄｅｄ  Ｐｉｃｔｕｒｅ）から構成される。
【０００３】
それぞれのピクチャは動き補償予測の仕方によって分けられている。Ｉピクチャはフレーム内またフィールド内の情報のみで符合化され動き補償予測は行われない。Ｐピクチャは直前のＩピクチャ、Ｐピクチャのいずれか近いほうをもちいた一方向からの予測により符号化される。Ｂピクチャは直前のみならず、直後のＩピクチャ、Ｐピクチャのいずれか近い方をももちいた２方向より予測して符号化される。画像の圧縮率の観点からみるとＩピクチャはもっとも圧縮率が低く、ついでＰピクチャ、Ｂピクチャの順となる。
【０００４】
一方、復号化された映像信号はＭＰＥＧノイズとよばれる特有の画像歪が生じることがある。画面上にモザイク上に生じるものがブロックノイズ、木の枝や字幕等のエッジの周りにもやもやとまとわりつくように生じるものがモスキートノイズと呼ばれている。
【０００５】
これら画像歪は周期的に変化しその周期はＧＯＰのもつ周期と関係がある。すなわちＩピクチャで発生したこれら画像歪は次のＩピクチャがくるまでＰピクチャやＢピクチャの画像に影響を与えつづけるため、Ｉピクチャの周期（多くの場合ＧＯＰ周期と一致）やＰピクチャの周期（ＧＯＰ周期の整数分の一）が画像歪の周期として知見されるのである。
【０００６】
このような画像歪を低減するものとして特開２００３−３２６８５号公報にて公開されたノイズ低減方法および映像処理装置がある。図１４はそのブロック図である。図１４において、１はＭＰＥＧ符号化された映像信号Ｓｅが入力される入力端子、また、１００１は入力端子１に供給された符号化された映像信号を復号し、復号化された映像信号Ｓｄを出力するＭＰＥＧ映像デコーダである。１００２はＳｄを受け取りノイズを低減するノイズ低減部、１００３は前記した符号化された映像信号のＧＯＰ層よりＧＯＰヘッダを抽出し現在復号化中のピクチャがＩ、Ｐ、Ｂいずれかのピクチャであるかを検出して、ノイズ低減部１００２を制御する検出制御部である。２はノイズ低減部によりノイズが低減された映像信号を出力する出力端子である。
【０００７】
このように従来のノイズ低減方法および映像処理装置では、検出制御部がＭＰＥＧ映像デコーダで復号化中のピクチャに応じてノイズ低減部のノイズ低減量を適応的に変化させるので符号化前の源画像に近く且つ、Ｓ／Ｎの高い映像信号を復号化できる（例えば特許文献１参照。）。
【特許文献１】特開２００３−３２６８５号公報
【発明の開示】
【発明が解決しようとする課題】
【０００８】
しかしながら、復号化中のピクチャがＩ，Ｂ，ＰピクチャのいずれかであるかはＭＰＥＧ映像デコーダからのＧＯＰヘッダー情報を用いて判断しているため、既に他の機器等で復号化されてしまった映像信号のように、ＧＯＰヘッダ情報が得られない場合は、現在のピクチャがＩ、Ｐ，Ｂのいずれかであるかの判断や、それらの周期や、ノイズ低減効果等が得られなかった。
【０００９】
また、ＭＰＥＧ符号化された信号のみ扱うため復号化されたさまざまなソースの映像信号を扱うことが出来なかった。
【００１０】
また、復号化された映像信号からはソースがＭＰＥＧ符号化されたものかどうかの判断ができなかった。
【００１１】
本発明は、上記の問題に鑑みなされたものであって、復号化された映像信号からでもＧＯＰの周期を検出できるようにすることを目的とする。また、本発明は、映像信号からソースがＭＰＥＧ符号化されたものかどうかの判断を行うことが出来るようにすることを目的とする。また、本発明は、復号化された映像信号から最適な画質補正を行う装置を提供することを目的とする。また、本発明は、復号化された映像信号からでもＧＯＰの周期を検出できるようにする手段を記録した記憶媒体を提供することを目的とする。また、本発明は、映像信号からソースがＭＰＥＧ符号化されたものかどうかの判断を行うことが出来るようにする手段を記録した記憶媒体を提供することを目的とする。また、本発明は、復号化された映像信号から最適な画質補正を行う手段を記憶した記憶媒体を提供することを目的とする。
【課題を解決するための手段】
【００１２】
上記課題を解決するために本発明のＧＯＰ周期検出装置は、入力映像信号の同期信号に同期した所定期間を示すタイミング信号を発生するタイミング信号発生手段と、前記タイミング信号発生手段からのタイミング信号に応じて前記所定期間における前記入力映像信号の特定周波数成分量を抽出する特定周波数成分量抽出手段と、前記特定周波数成分量抽出手段の出力を前記タイミング信号毎に受け取り、その変動における特徴量を求め、入力信号のＧＯＰ周期を検出する変動特徴量検出手段とを備えたことを特徴とするものである。
【００１３】
また、上記課題を解決するために本発明のＧＯＰ周期検出方法は、入力映像信号の特定周波数成分量の変動における特徴量より、ＧＯＰ周期を求めることを特徴とするものである。
【００１４】
また、上記課題を解決するために本発明の記憶媒体は、入力映像信号の特定周波数成分量の変動における特徴量より、ＧＯＰ周期を求めるＧＯＰ検出方法を記憶したことを特徴とするものである。
【００１５】
上記発明により、入力映像信号の特定周波数成分量の変動における特徴量より、ＧＯＰ周期を求めるため、復号化された映像信号からでもＧＯＰの周期を検出できるＧＯＰ周期検出方法とＧＯＰ周期検出装置と映像処理方法と映像処理装置と記憶媒体を提供することが可能となる。
【発明の効果】
【００１６】
本発明によれば、入力映像信号の特定周波数成分量の変動における特徴量より、ＧＯＰ周期を求めるため、復号化された映像信号からでもＧＯＰの周期を検出できるＧＯＰ周期検出方法とＧＯＰ周期検出装置を提供することができる。
【００１７】
また、本発明によれば、復号化された映像信号であってもＧＯＰ周期に応じて最適な映像信号処理が施すことのできる映像処理方法と映像処理装置と記憶媒体を提供することが可能となる。
【発明を実施するための最良の形態】
【００１８】
（実施の形態１）
図１は本発明の第一の実施の形態におけるＧＯＰ周期検出装置のブロック図である。図１において１は映像信号が入る入力端子であり、３は映像信号の同期信号を入力する入力端子である。７は同期信号に同期した所定期間を示すタイミング信号を発生するタイミング発生手段、４は前記タイミング信号発生手段からのタイミング信号に応じて前記所定期間における前記入力映像信号の特定周波数成分量を抽出する特定周波数成分量抽出手段である。また、６は前記変動特徴量検出手段の出力結果より入力信号のＧＯＰ周期を検出する演算手段である。８は検出したＧＯＰ周期を出力する出力端子である。
【００１９】
以上のように構成されたＧＯＰ周期検出装置の動作を図２、図３を用いて説明する。図２はタイミング発生手段が発生するタイミング信号の一例を示したタイミング図である。２０は映像信号の垂直（Ｖ）レートでの有効期間を示している。説明の便宜上水平（Ｈ）レートの有効期間は省略している。２１はＶ同期信号を示している。２２はタイミング発生手段が特定周波数成分抽出手段に与えるリセット／取り込み信号、２３は周波数成分を抽出する期間を示したイネーブル信号である。
【００２０】
特定周波数成分抽出手段４は例えば映像信号の特定周波数成分をＢＰＦ（Ｂａｎｄ  Ｐａｓｓ  Ｆｉｌｔｅｒ）やＨＰＦ（Ｈｉｇｈ  Ｐａｓｓ  Ｆｉｌｔｅｒ）等を通して抽出する。抽出した周波数成分の所定期間における量を抽出するため、これらの絶対値を前記したイネーブル信号２３の期間累積加算する。累積加算結果は、リセット／取り込み信号２２によってラッチされ変動特徴量検出手段６に渡される。また累積加算結果はラッチ後リセットされる。
【００２１】
また、他の例としてはＦＦＴ（Ｆａｓｔ  Ｆｏｕｒｉｅｒ  Ｔｒａｎｓｆｏｒｍ）やＤＣＴ（Ｄｉｓｃｒｅｔｅ  Ｃｏｓｉｎｅ  Ｔｒａｎｓｆｏｒｍ）等の直行変換を行いその振幅特性を結果として用いる方法でもよい。また、２次元フィルターを用いてもよい。２次元フィルターはラプラシアン、ソーベル、プリウィット、キルシュ、ロビンソン等のオペレータを用いたものが良く知られている。
【００２２】
以上のようにして得られた結果を例えばフィールド毎にプロットすると図３の３０の様になる。縦軸は検出結果を任意の単位に規格化したものであり、横軸はフィールドである。３１は３０と同一シーンをＭＰＥＧ符号化復号化する前の状態で３０と同一条件で検出した結果である。
【００２３】
このように、ＭＰＥＧ符号化復号化された映像信号のプロット３０はＩピクチャ、Ｐピクチャ、Ｂピクチャそれぞれが持つ情報量の差より特定の周期が検出される。本例では、このときのＧＯＰ周期、すなわちＩピクチャの周期は３０Ｖ周期であり、Ｐピクチャの周期は６Ｖ周期である。
【００２４】
一般に動画像圧縮では人間の目は高域成分の感度が低いことを利用し高域側の情報を削ることで実現するため、周波数成分抽出手段４ではなるべく高域側の信号を抽出するのが望ましい。
【００２５】
変動特徴量検出手段６では周波数成分抽出手段４の結果を逐次受け取りその結果の周期性を検出する。周期性を検出する方法として例えば、３０Ｖ周期や６Ｖ周期等の特定周期を抽出するＢＰＦ等を構成し、その絶対値を累積加算またはＩＩＲ（Ｉｎｆｉｎｉｔ  Ｉｍｐｕｌｓ  Ｒｅｓｐｏｎｓｅ）フィルター等で積分することで得られる。また別の方法としてＦＦＴ等の直行変換を用いてその振幅特性から得ることが出来る。
【００２６】
このようにして検出した各周期成分量から結果を出力するには例えば着目している周期成分量と他の周期成分量の平均値との比や差等を計算することで得られる。
【００２７】
以上説明したように本発明の第１の実施の形態では、復号後の映像信号からでもＧＯＰ周期が検出可能なＧＯＰ検出方法とＧＯＰ周期検出装置とＧＯＰ検出方法を記憶した記憶媒体を提供することができる。
【００２８】
（実施の形態２）
図４は本発明の第２の実施の形態におけるＧＯＰ周期検出装置の特定周波数成分量抽出手段のブロック図である。なお、図１と同様の働きをするブロックについては同一の参照符号を付しその説明は省略する。
【００２９】
４１は映像信号のｎ画素分のデータを記憶するメモリ、４２はメモリ４１の出力と映像信号との差分を取る差分器、４３は差分器４２の出力の絶対値を計算する絶対値演算手段、４４は絶対値演算手段の出力を有効累積加算期間信号がＨのあいだ累積加算し、リセット／取り込み信号に応じて累積加算結果をリセットする累積加算手段である。４５は累積加算手段４４の出力をリセット／取り込み信号に応じてラッチするラッチ手段である。
【００３０】
メモリ４１と差分器４２によりｎ画素間の差分が演算される。ｎは任意の整数でよい。例えばｎを１とすれば水平方向に隣接した画素間の差分を演算することができる。すなわちナイキスト周波数におけるＨＰＦとなり、簡易に効率よく高周波数成分を取り出せる。ｎを２、３、４とすればコムフィルターとなり、トラップ位置を合わせこむことで不要な周波数妨害等による影響を取り除くことが出来る。このようにして求められた周波数成分の絶対値を所定期間、たとえば１フィールド期間、累積加算することで１フィールド中の高周波成分の総量を抽出することが出来る。
【００３１】
以上説明したように本発明の第２の実施の形態では、特定周波数成分抽出手段を簡易な構成とした、ＧＯＰ検出方法とＧＯＰ周期検出装置とＧＯＰ検出方法を記憶した記憶媒体を提供することができる。
【００３２】
（実施の形態３）
ＣＧ（Ｃｏｍｐｕｔｅｒ  Ｇｒａｐｈｉｃｓ）やノンリニア編集等のデジタル処理が施される際映像信号はフレーム単位で処理されるのが通常である。その後ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やハイビジョン方式などインターレース信号に変換すると、前記した実施の形態では２Ｖ周期が検出されることがある。
【００３３】
特に変動特徴量検出手段６に簡易なＢＰＦ出力の絶対値の累積加算等を用いた場合その影響が出力に出てきてしまう。本実施の形態はこのようなインターレス信号による本来ＧＯＰとは無関係な周期が検出されることを防ぐことを目的とする。
【００３４】
図５は本発明の第３の実施の形態におけるタイミング発生手段７の動作を示したタイミング図である。
【００３５】
図において５２はリセット／取り込み信号Ｂであり、２Ｖ期間にまたがって特定周波数成分抽出手段での累積加算がおこなわるようになっている。このように２フィールド期間の累積加算を行うため、２Ｖ周期の影響を受けない検出が可能とある。
【００３６】
以上説明したように本実施の形態では１フレーム期間での周波数成分が抽出されるためインターレースによる変動を、簡易な回路で吸収可能な映像表示装置を提供することができる。
【００３７】
（実施の形態４）
画面のシーンが切り替わったり激しい動きがあると一時的にさまざまな周期が検出されるが、これらはＧＯＰ周期とは無関係である。上記した実施の形態では、これにより誤動作をする場合がある。また、ＦＦＴ等に代表される直行変換により周波数分布を検出する方法では３０Ｖ周期など長い周期や２の倍数ではない周期の検出を行おうとすると分解能の面から演算量が大幅に増えるという問題もあった。本実施の形態では上記した問題点の改善を目的とする。
【００３８】
図６は本発明の第４の実施の形態におけるＧＯＰ周期検出装置のブロック図である。なお、図１と同様の働きをするブロックについては同一の参照符号を付しその説明は省略する。
【００３９】
図６において６１は特定周波数成分量抽出手段４からの結果を受け取りフィルタ処理を行うフィルタ群であり、それぞれのフィルタは異なる周波数特性を持っている。６２はフィルタ群６１からの出力ぞれぞれに対し絶対値演算を行う絶対値演算手段群、６３は絶対値演算手段群６２からの出力それぞれに対し積分を行う積分手段群である。６４は積分手段群６２それぞれの出力より大小関係や比を比較しその結果をＧＯＰ周期検出結果として出力する比較演算手段である。
【００４０】
図７はある時点での積分手段群の出力の様子をグラフにプロットしたものである。縦軸は所定の値で規格化した出力値であり、横軸は積分手段群６２それぞれの意味する周波数成分である。それぞれ対応するフィルタでその周波数成分を取り出せるようＢＰＦを構成している。たとえば図７のグラフによると６Ｖ周期と３０Ｖ周期を検出するフィルタにつながっている積分手段の出力が大きな値を示していることがわかる。比較演算手段６４では例えば大小関係を比較することで上記６Ｖ周期３０Ｖ周期が検出されるていることが判断可能である。さらにその他のグラフの結果の平均値とそれぞれ比や差を求めることで６Ｖ周期、３０Ｖ周期の強さが容易に判別できる。
【００４１】
以上説明したように本実施の形態では、特定周波数抽出手段で得られた結果の変動を、複数の異なる特性を持つフィルターの絶対値を平滑化して得られる複数の結果の大小関係より求めることで簡易で且つ、誤動作の少ないＧＯＰ検出方法とＧＯＰ周期検出装置とＧＯＰ検出方法を記憶した記憶媒体を提供することができる。
【００４２】
（実施の形態５）
図８は本発明の第５の実施の形態におけるＧＯＰ周期検出装置のフィルタ群６１におけるひとつのフィルタのブロック図である。
【００４３】
図８において８１は任意の自然数をｍとすると、ｍ個のデータを記憶するメモリ、８２は差分器である。本フィルタはコムフィルターと呼ばれるものである。図９はｍが変化したときのコムフィルターの振幅特性である。このようにコムフィルターはノッチが周波数軸上に等間隔に入り、例えばｍ＝４とｍ＝２では共に正規化周波数０．５にノッチが入る。
【００４４】
図１０はフィルター群６１をさまざまなｍをもつコムフィルターで構成した時の、ある入力信号における積分手段群６２の出力をグラフにプロットしたものである。ｍ＝３０、ｍ＝６、ｍ＝２４の順で小さな値が得られている。一方、ｍ＝３はそれらと比べて大きな値となっている。よって３Ｖ周期成分はなく６Ｖ周期成分が検出されていると考えらる。また、２４は６の倍数であるが、ｍ＝６のときの値よりｍ＝２４の時の値のほうが大きいことより、６Ｖ周期成分が支配的と考えれられる。同様に３０は６の倍数であるがｍ＝３０の値はｍ＝６の値より小さいため３０Ｖ周期成分は６Ｖ周期成分より大きいと考えられる。以上のことより、もっとも大きな周波数成分は３０Ｖ周期、次に６Ｖ周期と判断できる。ＧＯＰ周期の検出を行う場合、多くともＩピクチャの周期とＰピクチャの周期の２つを検出できればよく上位２つの周期成分が検出できればよい。なお、ｍが偶数の時と奇数の時とでは検出値が異なる傾向があるがこれは２Ｖ周期が検出されているからである。このようにｍ値の異なる複数のコムフィルターの大小関係を比較すれば簡単な回路でＧＯＰ周期の検出が可能となる。
【００４５】
以上説明したように本実施の形態では、メモリと差分器、大小関係の比較といった少ない演算量でＧＯＰ周期の検出が可能な、誤動作の少ないＧＯＰ検出方法とＧＯＰ周期検出装置とＧＯＰ検出方法を記憶した記憶媒体を提供することができる。
【００４６】
（実施の形態６）
図１１は本発明の第６の実施の形態におけるブロック図である。なお、図１と同様の働きをするブロックについては同一の参照符号を付しその説明は省略する。
【００４７】
図１１において１１１は変動特徴量検出手段６の結果に基づき入力映像信号に信号処理を施す信号処理手段である。
【００４８】
例えば、信号処理手段１１１ではε−Δフィルタ等のＭＰＥＧ方式によって生じる画像歪の低減処理を行うものとすれば、効果を強めるために閾値を上げると副作用として画面ボケが生じ、画面ボケを抑えようと閾値を下げれば効果が減るという課題があった。また、入力ソースが変わりＭＰＥＧ方式ではない信号が入力されたときには、効果を出来るだけ小さくすべきである。変動特徴量検出手段６の結果を用いればＧＯＰ周期の検出量に応じて上記閾値の制御が可能となる。
【００４９】
以上説明したように本実施の形態では、復号化された映像信号であってもＧＯＰ周期の検出が出来るため、検出したＧＯＰ周期に応じて最適な映像信号処理が施せるという有利な効果を有する。
【００５０】
（実施の形態７）
入力信号が大きく圧縮のかかった画像やソースに高域成分がなかった信号ではＧＯＰ周期成分が小さく検出され、逆に高精細な映像信号では強く検出される傾向がある。このままでノイズリダクションなどの信号処理パラメータを制御する場合効果が逆になるように制御されてしまうという問題がある。また、制御の符号を逆にすれば、ＭＰＥＧ方式以外の信号入力時に悪影響が生じる。本実施の形態はこのような問題を解決することを目的とする。
【００５１】
図１２は本発明の第７の実施の形態におけるブロック図である。なお、図１と同様の働きをするブロックについては同一の参照符号を付しその説明は省略する。
【００５２】
図１２において１２０は入力映像信号の周波数特性を検出する周波数特性検出手段である。１２１は前記変動特徴量検出手段６の出力と前記周波数特性検出手段１２０の出力との結果を用いて信号処理手段１１１のパラメータを制御するパラメータ制御手段である。周波数特性検出手段１２０は映像処理手段１１１で着目したい周波数を検出すればよい。
【００５３】
例えばノイズリダクションのように信号処理手段１１１で制御するパラメータの副作用が高域での画面ボケの場合、もともとの画像の周波数特性がわるければ画面ボケは目立たない。したがって周波数特性検出手段１２０にて中低域に対し高域が相対的に少ないと判断した場合、パラメータ制御手段１２１にてより強くパラメータを制御することでより効果を高めることが可能となる。
【００５４】
以上説明したように本実施の形態では、副作用が生じてもその影響が目立たないときに効果を強めることで、ＧＯＰ検出結果による制御と効果の両立が可能な映像処理方法と映像処理装置と映像処理方法を記憶した記憶媒体を提供することができる。
【００５５】
（実施の形態８）
入力信号の画像が激しい動きを伴っている場合ＧＯＰ周期成分量の検出が小さくなる、もしくは検出が出来ないという問題があった。本実施の形態はこのような問題を解決することを目的とする。
【００５６】
図１３は本発明の第８の実施の形態におけるブロック図である。なお、図１と同様の働きをするブロックについては同一の参照符号を付しその説明は省略する。
【００５７】
図１３において１２２は入力映像信号のＡＰＬ（Ａｖｅｒａｇｅ  Ｐｉｃｔｕｒｅ  Ｌｅｖｅｌ）の変動を検出するＡＰＬ変動検出手段である。１２３は前記変動特徴量検出手段６の出力と前記ＡＰＬ変動検出手段１２２の出力との結果を用いて信号処理手段１１１のパラメータを制御するパラメータ制御手段である。
【００５８】
以上のように構成された本実施の形態での動作を説明する。ＡＰＬ変動検出手段１２２では入力信号の各画素を累積加算し加算回数で割ることで映像信号の平均輝度（ＡＰＬ）を得る。次に過去のＡＰＬよりその変化量を検出する。例えばＨＰＦ処理（微分）を行いその絶対値を積分（ＬＰＦ）した値などを用いればよい。このようにして得られたＡＰＬ変化量を、パラメータ制御手段１２３にて、例えばＧＯＰ周期検出結果に乗ずれば、前記した問題が解決できる。また、ＡＰＬ変化量が大きく且つＧＯＰ周期検出結果が所定の値以上であればパラメータ制御手段１２３にて信号処理手段１１１のパラメータを大きく制御するといった処理でもかまわない。
【００５９】
以上説明したように本実施の形態では、入力信号の画像が激しい動きを伴っている場合ＧＯＰ周期成分量の検出が小さくなる、もしくは検出が出来ないという問題の改善された映像処理方法と映像処理装置と映像処理方法を記憶した記憶媒体を提供することができる。
【産業上の利用可能性】
【００６０】
本発明にかかるＧＯＰ周期検出方法とＧＯＰ周期検出装置と映像処理方法と映像処理装置と記憶媒体は、復号化された映像信号からでもＧＯＰの周期を検出できるという効果を有し、動画像のＧＯＰ周期検出方法及びＧＯＰ周期検出装置及び映像処理方法及び映像処理装置及びそれらＧＯＰ周期検出方法や映像処理方法を記録した記録媒体において有用である。
【図面の簡単な説明】
【００６１】
【図１】第１の実施の形態におけるＧＯＰ周期検出装置のブロック図
【図２】タイミング信号発生手段からのタイミング図
【図３】特定周波数成分抽出手段の結果をプロットしたグラフ
【図４】第２の実施の形態におけるＧＯＰ周期検出装置のブロック図
【図５】第３の実施の形態におけるタイミング信号発生手段からのタイミング図
【図６】第４の実施の形態におけるＧＯＰ周期検出装置のブロック図
【図７】積分手段群の出力の様子をプロットしたグラフ
【図８】第５の実施の形態におけるＧＯＰ周期検出装置のフィルタ群６１におけるひとつのフィルタのブロック図
【図９】コムフィルターの振幅特性を示す図
【図１０】積分手段群の出力の様子をプロットしたグラフ
【図１１】第６の実施の形態における映像処理装置のブロック図
【図１２】第７の実施の形態における映像処理装置のブロック図
【図１３】第８の実施の形態における映像処理装置のブロック図
【図１４】従来のノイズ低減方法および映像処理装置のブロック図
【符号の説明】
【００６２】
１、映像信号入力端子
２、映像信号出力端子
３、同期信号入力端子
４、特定周波数成分抽出手段
６、変動特徴量検出手段
７、タイミング発生手段
８、結果出力端子
２０、映像信号のＶレートにおける有効期間
２１、Ｖ同期信号
２２、リセット／取り込み信号
２３、イネーブル信号
３０、ＭＰＥＧ復号化後の映像信号のプロット
３１、ソース映像信号のプロット
４１、ｎ画素分のデータを記憶するメモリ
４２、差分器
４３、絶対値演算手段
４４、累積加算手段
４５、ラッチ手段
５２、リセット／取り込み信号Ｂ
６１、フィルタ群
６２、絶対値手段群
６３、積分手段群
６４、比較演算手段
８１、メモリ
８２、差分器
１１０、映像信号出力端子
１１１、信号処理手段
１２０、周波数特性検出手段
１２１、パラメータ制御手段
１２２、ＡＰＬ変動検出手段
１２３、パラメータ制御手段
１００１、ＭＰＥＧ映像デコーダ
１００２、ノイズ低減部
１００３、検出制御部
１００５、リミッタ
１００６、乗算器
１００７、減算器
【図１】
2005094591.tif 000003
【図２】
2005094591.tif 000004
【図３】
2005094591.tif 000005
【図４】
2005094591.tif 000006
【図５】
2005094591.tif 000007
【図６】
2005094591.tif 000008
【図７】
2005094591.tif 000009
【図８】
2005094591.tif 000010
【図９】
2005094591.tif 000011
【図１０】
2005094591.tif 000012
【図１１】
2005094591.tif 000013
【図１２】
2005094591.tif 000014
【図１３】
2005094591.tif 000015
【図１４】
2005094591.tif 000016